(57)【要約】【課題】  発光素子の複数個からの光を光源装置から拡散を少なく射出可能とし、この光源装置を用いた小型高輝度のプロジェクタを提供する。【解決手段】  光源装置と、光源側光学系と、投影画像を生成する表示素子と、投影画像を投影する投影側光学系と、プロジェクタ制御手段とを備え、前記光源装置は、筐体部20と発光素子とを有し、筐体部20は、矩形の射出口21を形成する傾斜した反射平面である壁面を備え、射出口21の長辺側壁面23の傾斜が短辺側壁面25の傾斜よりも小さな傾斜角とされて短辺側壁面25を台形形状としたプロジェクタとする。【選択図】      図１
2007329053.tif 000002
【特許請求の範囲】
【請求項１】
筐体部と発光素子とを有し、
前記筐体部は、矩形の射出口を形成する傾斜した反射平面である壁面を備え、前記射出口の長辺側壁面の傾斜が短辺側壁面の傾斜よりも小さな傾斜角であって前記短辺側壁面が台形形状であることを特徴とする光源装置。
【請求項２】
前記筐体部の後端が前記射出口の短軸方向と平行な直線状であることを特徴とする請求項１に記載した光源装置。
【請求項３】
前記筐体部の後端が前記射出口よりも小さな矩形の後端面であって、前記後端面の長軸方向が前記射出口の短軸方向と平行であることを特徴とする請求項１に記載した光源装置。
【請求項４】
前記筐体部は、空洞のミラートンネルであることを特徴とする請求項１乃至請求項３の何れかに記載した光源装置。
【請求項５】
前記筐体部は、中実のテーパーロッドであることを特徴とする請求項１乃至請求項３の何れかに記載した光源装置。
【請求項６】
前記筐体部の壁面にミラーコートが施されていることを特徴とする請求項５に記載した光源装置。
【請求項７】
前記発光素子が、赤色発光ダイオード、緑色発光ダイオード、青色発光ダイオードであることを特徴とする請求項１乃至請求項６の何れかに記載した光源装置。
【請求項８】
前記赤色発光ダイオード、緑色発光ダイオード、青色発光ダイオードは、前記射出口と平行な方向及び前記射出口と交わる方向に同一色が隣接することなく縦横に配置されていることを特徴とする請求項７に記載した光源装置。
【請求項９】
光源装置と、
光源側光学系と、
投影画像を生成する表示素子と、
投影画像を投影する投影側光学系と、
プロジェクタ制御手段とを備え、
前記光源装置は、
筐体部と発光素子とを有し、
前記筐体部は、矩形の射出口を形成する傾斜した反射平面である壁面を備え、前記射出口の長辺側壁面の傾斜が短辺側壁面の傾斜よりも小さな傾斜角であって前記短辺側壁面が台形形状であることを特徴とするプロジェクタ。
【請求項１０】
前記光源装置の筐体部は、その後端が前記射出口の短辺方向と平行な直線状であることを特徴とする請求項９に記載したプロジェクタ。
【請求項１１】
前記光源装置の筐体部は、その後端が前記射出口よりも小さな矩形の後端面であって、前記後端面の長軸方向が前記射出口の短軸方向と平行であることを特徴とする請求項９に記載したプロジェクタ。
【請求項１２】
前記光源装置の筐体部は、空洞のミラートンネルであることを特徴とする請求項９乃至請求項１１の何れかに記載したプロジェクタ。
【請求項１３】
前記光源装置の筐体部は、中実のテーパーロッドであることを特徴とする請求項９乃至請求項１１の何れかに記載したプロジェクタ。
【請求項１４】
前記光源装置の筐体部の壁面にミラーコートが施されていることを特徴とする請求項１３に記載したプロジェクタ。
【請求項１５】
前記光源装置に設ける前記発光素子が、赤色発光ダイオード、緑色発光ダイオード、青色発光ダイオードであることを特徴とする請求項９乃至請求項１４の何れかに記載したプロジェクタ。
【請求項１６】
前記赤色発光ダイオード、緑色発光ダイオード、青色発光ダイオードは、前記光源装置の前記射出口と平行な方向及び前記射出口と交わる方向に同一色が隣接することなく縦横に配置されていることを特徴とする請求項１５に記載したプロジェクタ。
【請求項１７】
複数個の前記光源装置を内蔵し、各光源装置から射出される光の光軸をプリズムにより一致させて光源側レンズ群に入射していることを特徴とする請求項９乃至請求項１６の何れかに記載したプロジェクタ。
【請求項１８】
３方向からの光を重畳して１方向に集光するダイクロイックプリズムを備え、
赤色発光ダイオードのみを用いた前記光源装置と、緑色発光ダイオードのみを用いた前記光源装置と、青色発光ダイオードのみを用いた前記光源装置との３個の光源装置を内蔵し、
前記３個の光源装置は、前記ダイクロイックプリズムの３方に各々配置されていることを特徴とする請求項９乃至請求項１４の何れかに記載したプロジェクタ。
【発明の詳細な説明】
【技術分野】
【０００１】
本発明は、発光素子を用いた光源装置とこの光源装置を用いたプロジェクタに関するものである。
【背景技術】
【０００２】
今日、データプロジェクタなどの光源としては、高輝度を有する超高圧水銀ランプやメタルハイランドランプが多用されているが、これらの発光体は、発熱量が大きいため冷却機構が複雑且つ大型化する欠点があった。このため、発熱量が比較的小さな発光ダイオード等を用いた小型のプロジェクタ用光源が提案されている。例えば、特開２００３−２６２７９５号公報（特許文献１）では、発光ダイオード等の発光素子をアレイ状に配置した光源を用いたプロジェクタに関して提案がなされている。
【０００３】
このように発光ダイオードを発光素子とし、多数個の発光素子を並べるようにした光源装置では、発光素子を基板上に取り付けて光源基板を形成し、内面が反射面とされた四角柱のミラートンネルの底面にこの光源基板を配置し、ミラートンネルの内面で反射された光をミラートンネルの光軸方向に射出し、この射出光を光源側光学系とするレンズ群やミラーを介してＤＭＤ等の表示素子に照射するものである。
【０００４】
尚、光源基板には、赤色発光ダイオードと緑色発光ダイオードと青色発光ダイオードの各々を複数個ずつ配置し、光源装置から赤色光、緑色光、青色光を射出してこの赤色光、緑色光、青色光を表示素子に照射しているものである。
【特許文献１】特開２００３−２６２７９５号公報
【発明の開示】
【発明が解決しようとする課題】
【０００５】
ミラートンネルの底面に発光ダイオードを配列した上述のような光源装置では、多数個の発光ダイオードを配置しようとするとミラートンネルが太くなり、光源装置ひいてはプロジェクタの小型化を阻害することになる。
又、ダイオードを発光させるとき、発光ダイオード自体の発熱により隣接する発光ダイオードに悪影響が生じ、発光ダイオード相互間に所定の間隔が必要となり、一定の面積では発光ダイオードの個数が制限される。
【０００６】
このため、光源装置から射出する光量を多くするために発光ダイオードの個数を増加させ、ミラートンネルの口径を大きくすると、四角柱形状のミラートンネルでは、ミラートンネル内の壁面で反射されてミラートンネルから射出される光にミラートンネルの光軸と大きな角度で交わる光も増加することになる。
【０００７】
従って、光源装置から射出される光が拡散することとなり、光源側レンズ群の枚数を増加させるなどの処理を行わなければ光の利用率が低下することになり、ダイオードの個数増加が表示素子への照度増加に直結しない問題もあった。
【０００８】
本発明は、このような欠点を排除し、発光素子の多数個の配置を容易とすると共に、光源装置から射出される光を効率的に表示素子に照射することのできる小型の光源装置を提供するものである。
【課題を解決するための手段】
【０００９】
本発明は、筐体部（20）と発光素子（11）とを有し、筐体部（20）は、矩形の射出口（21）を形成する傾斜した反射平面である壁面を備え、射出口（21）の長辺側壁面（23、24）の傾斜が短辺側壁面（25、26）の傾斜よりも小さな傾斜角として短辺側壁面（25、26）が台形形状である光源装置(40)とするものである。
【００１０】
又、筐体部（20）の後端は、射出口（21）の短軸方向と平行な直線状の後端部（29）とする場合や、筐体部（20）の後端を射出口（21）よりも小さな矩形の後端面（27）とし、後端面（27）の長軸方向が射出口（21）の短軸方向と平行とすることもある。
【００１１】
そして、筐体部（20）は、平面鏡を用いて空洞のミラートンネルとすることや、光学ガラスによる中実のテーパーロッドとすることがあり、テーパーロッドの場合は、筐体部（20）の表面にミラーコートを施したミラーコート部（33）を形成することがある。
【００１２】
更に、発光素子（11）は、赤色発光ダイオード、緑色発光ダイオード、青色発光ダイオードとすることがあり、この赤色発光ダイオード、緑色発光ダイオード、青色発光ダイオードを用いる場合は、射出口（21）と平行な方向及び射出口（21）と交わる方向に同一色を隣接させることなく縦横に配置することが好ましい。
【００１３】
又、本発明は、上述の光源装置(40)を用いるプロジェクタ（100）とするものであって、光源装置(40)と、光源側光学系と、投影画像を生成する表示素子（155）と、投影画像を投影する投影側光学系と、プロジェクタ制御手段とを備え、前記光源装置(40)は、筐体部（20）と発光素子（11）とを有し、筐体部（20）は、矩形の射出口（21）と傾斜した反射面を形成する壁面を備え、射出口（21）の長辺側壁面（23、24）の傾斜が短辺側壁面（25、26）の傾斜よりも小さな傾斜角として短辺側壁面（25、26）が台形形状であるプロジェクタ（100）とするものである。
【００１４】
尤も、プロジェクタ（100）にこの光源装置(40)を組み込む場合は、複数個の光源装置(40)を組み込み、光源装置(40)から射出される光を１個又は複数個のプリズムなどを用いて各光源装置(40)から射出される光の光軸を合わせて光源側光学系とする光源側レンズ（147、148）に入射することがある。
【００１５】
そして、３個の光源装置(40)を組み込む場合は、３方向からの光を重畳して１方向に集光するダイクロイックプリズム(70)を用い、ダイクロイックプリズムの３方に配置される各光源装置(40)としては、赤色発光ダイオードのみを用いた光源装置(40)と、緑色発光ダイオードのみを用いた光源装置(40)と、青色発光ダイオードのみを用いた光源装置(40)としてダイクロイックプリズム(70)の３方に１個ずつ配置することがある。
【発明の効果】
【００１６】
本発明に係るプロジェクタ用の光源装置は、反射平面の短辺側壁面を台形形状としているため、発光素子を射出口から離す様に配置して並べることが容易であり、射出口から射出される光の拡散を少なくして明るく小さな光源装置とし、ひいては、当該光源装置を用いた小型高輝度のプロジェクタを提供することができる。
【発明を実施するための最良の形態】
【００１７】
本発明を実施するための最良の形態は、光源装置40と、光源側光学系とする光源側レンズ147、148及びミラー151と、ミラー151からの光を受けて投影画像を生成する表示素子155と、表示素子155で形成した投影画像を投影する投影側光学系と、プロジェクタ制御手段と、などを備えるプロジェクタ100とするものである。
【００１８】
そしてこのプロジェクタ100の光源装置40は、筐体部20と発光素子11とを有し、筐体部20は、矩形の射出口21を形成する傾斜した反射平面である壁面を備え、射出口21の長辺側壁面23、24の傾斜を短辺側壁面25、26の傾斜よりも小さな傾斜角とし、且つ、短辺側壁面25、26を台形形状としたプロジェクタ100とするものである。
【００１９】
そして、この光源装置40の筐体部20は、筐体部20の後端を射出口21よりも小さな矩形の後端面27とし、射出口21と平行な後端面27であってその長軸方向を射出口21の短軸方向に合わせると共に、中実のテーパーロッドとして壁面表面にミラーコートを施し、発光素子11は、赤色発光ダイオード、緑色発光ダイオード、青色発光ダイオードとするものである。
【００２０】
更に、この赤色発光ダイオード、緑色発光ダイオード、青色発光ダイオードは、射出口21と平行な方向及び射出口21と交わる方向に同一色を隣接させることなく基板13へ縦横に配置するものとし、この発光素子11を取り付けた発光基板13を後端面27の近傍である長辺側壁面23、24及び短辺側壁面25、26に設けるものである。
【実施例】
【００２１】
本発明に係るプロジェクタ用の光源装置40は、光学ガラスの筐体に複数の発光素子を取り付けるものであって、この筐体は、図１に示すように、二等辺三角形とされる平面の２個と等脚台形とされる平面の２個とにより形成するものとし、三角形平面を上面及び下面とし、台形平面を右側面及び左側面として一方に矩形の平面を形成する５面体としたものである。
【００２２】
この光学ガラスの筐体である筐体部20は、図２に示すように、右側壁25を形成する台形の脚辺の傾きα、即ち射出口21の垂線に対する上面壁23及び底面壁24の傾きαを、図３に示す筐体部20の上面壁23を形成する三角形の長さが等しい側辺の傾きβよりも小さくし、且つ、この右側壁25及びこの右側壁25と同形の左側壁26を形成する台形の底辺の長さを三角形の底辺の長さの約４分の３と短くしているものである。
【００２３】
そして、この平面状の上面壁23及びこの上面壁23と同形の底面壁24、更に、右側壁25及びこの右側壁25と同形の左側壁26の壁面表面を反射面とし、矩形の端面を光の射出口21としているものであり、反射面とした４つの壁面には各々光源取付け部31を有してこの光源取付け部31から発光素子11が発する光を筐体部20の内部に取り入れるものである。
【００２４】
従って、この光源取付け部31に設ける発光ダイオードなどの発光素子11から射出された光は、図４に示すように、筐体部20の内部において、発光素子11から筐体部20の後方に向かう光線ｃが、発光素子11の取付け平面の対向平面と取付け平面との間で反射を繰り返すことによって射出口21の方向に向かい、又、発光素子11の正面方向に射出される光線ｂは、対向平面や取付け平面で反射されて光軸22との交わる角度を発光素子11から射出されたときよりも小さくして射出口21から射出される。
【００２５】
そして、発光素子11から射出され、射出口21の近辺において発光素子11を取り付けた壁面の対向平面とされた壁面で反射される光線ａも、反射前の光軸22との交わり角θ1に対して反射後の光軸22との交わり角θ2を小さくするようにして射出口21から射出されるものである。
【００２６】
このように、発光素子11から筐体部20の射出口21側に向かって射出される光線も後端部29側に向かって射出される光も共に射出口21から射出しつつ、射出口21の方向に向かう光は壁面で反射される毎に光軸22と交わる角度を小さくし、発光素子11から射出される際に広範囲の角度θＡの光を射出口21から射出することができる。
【００２７】
従って、上面壁23や底面壁24に取り付けられた発光素子11からの光であって、光軸22と交わりつつ射出口21に向かう光線は、上面壁23又は底面壁24で１回反射される毎に光軸22と交わる角度を２αだけ小さくするようにして射出口21から射出され、射出口21から射出される光の拡散角を小さくすることができる。
【００２８】
又、右側壁25や左側壁26に取り付けられた発光素子11からの光も、光軸22と交わりつつ射出口21に向かう際、左側壁26や右側壁25で１回反射される毎に光軸22と交わる角度を２βだけ小さくするようにして射出口21から射出され、射出口21から射出される光の拡散角を小さくすることができるものである。
【００２９】
そして、この筐体部20に発光素子11としての発光ダイオードを取り付けるに際しては、平板状の基板である光源基板13に複数個の発光ダイオードを取り付けるものであり、この複数個の発光ダイオードを取り付けた光源基板13を筐体部20の各壁面に固定するものである。
【００３０】
更に、光源基板13に複数個の発光ダイオードを取り付けるに際しては、発光素子11として赤色発光ダイオード、緑色発光ダイオード、青色発光ダイオードを用いるものであり、図５に示すように、各発光ダイオードを縦方向及び横方向に並べるに際し、横方向に赤色発光ダイオード、緑色発光ダイオード、青色発光ダイオードが順次並ぶように配置して隣接する発光ダイオードが同色とならないようにすると共に、縦方向においても、隣接する発光ダイオードが同色とならないように配置し、色むらが生じないようにするものである。
【００３１】
そして、この光源基板13を筐体部20に固定するに際しては、光源基板13を射出口21から離す位置に取り付けるものであり、発光素子11から発せられた光の内、壁面で反射されることなく射出口21から射出される光線が光軸22と交わる角度を小さくするものである。
【００３２】
即ち、この筐体部20においては、射出口21の長辺を形成する平面である長辺側反射面を形成する上面壁23及び底面壁24は、二等辺三角形の底辺が台形の底辺よりも長いため、三角形の頂点近くまで両側辺の間隔が広く、光源基板13を射出口21から離れた位置に取り付けることが容易である。
【００３３】
又、射出口21の短辺を形成する平面である短辺側反射面を形成する右側壁25及び左側壁26は、等脚台形とされるため、射出口21と逆方向に台形の上辺を有し、両脚辺間の間隔が光源装置40の後端側においても広く、光源基板13を射出口21から離れた位置に取り付けることが容易となる。
【００３４】
このため、発光素子11から発せられ、反射面となる壁面で反射されることなく直接に射出口21から射出される光線の光軸22と交わる角度を小さくし、且つ、発光素子11から発せられるときに光軸22と交わる角度が大きな光線は、短辺側壁面である右側壁25又は左側壁26の発光素子11から発せられた光においては左側壁26又は右側壁25で反射される毎に２βの角度だけ光軸22と交わる角度を小さくし、長辺側壁面である上面壁23又は底面壁24の発光素子11から発せられた光においては底面壁24又は上面壁23で反射される毎に２αの角度だけ光軸22と交わる角度を小さくすることができるものである。
【００３５】
そして、光源基板13の取付け位置を射出口21から離すことにより、最初に光軸22と交わる角度の大きな光線が反射面で反射される回数を多くすることを可能とし、射出口21から射出される光の拡散角を小さくすることを容易としているものである。
【００３６】
又、この筐体部20は、射出口21と対向する後端を図１や図３に示したように直線状の後端部29とする場合に限ることなく、図６に示すように、後端側に射出口21と平行な平面とする後端面27を形成することもある。
【００３７】
この後端面27も反射面とすることにより、筐体部20の内部で後方に向かう光を反射して前方に進ませて射出口21から射出することができると共に、光軸22方向の長さを短くして小型の光源装置40とすることができる。
【００３８】
そして、この複数の発光素子11を取り付ける筐体部20の表面には、射出口21と光源基板13を取り付ける光源取付け部31を除き、ミラーコートを施して壁面内の光を確実に壁面で反射させるようにするものである。
この筐体部20の壁面である上面壁23や底面壁24、及び、右側壁25や左側壁26にミラーコートを施したミラーコート部33を形成するに際し、射出口21の近辺で内部の光が全反射する場合は、図７に示すように、この壁面の全反射領域35にはミラーコートを施さないようにするものである。
【００３９】
又、筐体部20の後端に後端面27を有する筐体部20では、発光素子11から後方に向かう光が光軸22と交わる角度が大きくなり、後端面27で全反射が生じる場合は、図８に示すように、この後端面27も、壁面の全反射領域35と合わせてミラーコートを施さないようにし、不必要なコート処理を行わないようにするものである。
【００４０】
尚、筐体部20は、中実の光学ガラスにより形成する場合のみでなく、二等辺三角形の平面鏡や等脚台形の平面鏡を組み合わせ、中空のミラートンネルとして内部の光を反射しつつ矩形の開口部である射出口21から光を射出するようにすることもある。
【００４１】
更に、このような光源装置40を組み込むプロジェクタ100は、図９に示すように、略直方体の形状であり、上パネルには、ランプインジケータ109や加熱インジケータ107、電源キー101や電源をオン状態としたときに点灯するスタンバイインジケータ105、自動画質調整及び主導画質調整を行うための画質調整キー103、及び、スピーカ開口部110、更に、各種調整キーを内蔵するキーボックスのカバーなどが設けられる。
【００４２】
又、前面パネルには、開閉可能とされたレンズカバー115の内側に投影口117が設けられ、このプロジェクタ100を遠隔操作するリモートコントローラからの赤外線信号を受けるリモコン受信部113が形成され、側部には排気ファン125を内蔵して排気口121を有するものである。
【００４３】
尚、底パネルには、後方の両端近くに各々後足137が設けられ、底パネルの前方中央にはロッドによりボディーの高さ調整を可能とする前足131が設けられると共に、前足131を一定高さで固定するロックキー135を前面パネルに有するものである。
【００４４】
そして、このプロジェクタ100の内部に前述の光源装置40を組み込んでいるものであり、図１０に示すように、筐体部20に光源基板13を取り付けた光源装置40の光軸22を光源側レンズ147、148の光軸と合わせて配置することにより、光源側レンズ群の光軸と光源装置40の光軸22とを一致させるものである。
【００４５】
更に、光源側光学系のミラー151は、光源装置40からの出射光の光軸に対して所定角度斜めに傾けて配置しており、光源装置40から出射され、光源側レンズ147、148を透過した光を表示素子155に向けて反射し、表示素子155の正面方向に対して一方の方向に傾いた方向からミラー151の反射光を表示素子155に投射するようにしている。
【００４６】
一方、表示素子155の前面には、この表示素子155を保護するカバーガラスが配置されており、更に、表示素子155の正面方向に対して一方の方向に傾いた方向から投射された光を表示素子155の正面方向に対して所定角度傾いた方向に沿う平行光に補正して表示素子155に入射させ、表示素子155から出射した画像光を集光させて投影系レンズ群に入射させる中継レンズ153が配置されている。
【００４７】
そして、表示素子155は、カラーフィルターのような入射光を着色する手段を備えない表示素子155であり、この実施例では、一般にＤＭＤと略称されるマイクロミラー表示素子155（Digital Micromirror Device）を用いている。
【００４８】
このマイクロミラー表示素子155は、その正面方向に対して一方向に傾いた入射方向から所定の角度範囲の入射角で入射した光を、前記複数のマイクロミラーの傾き方向の切換えにより正面方向と斜め方向とに反射して画像を表示するものであり、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。
【００４９】
尚、明表示の明るさは、マイクロミラーを一方の傾き方向（入射光を正面方向に反射させる傾き方向）に傾けておく時間を制御することによって任意に変化させることができ、したがって、このマイクロミラー表示素子155により、明るさに階調を持たせた画像を表示させることができる。
【００５０】
又、本実施例のプロジェクタにはプロジェクタ制御手段とするマイクロコンピュータが設けられており、このプロジェクタ制御手段により、プロジェクタ内の各回路の動作制御を行い、電源スイッチがオン状態とされると光源装置40を点灯させると共に、排気ファン125などの各種冷却ファンを光源装置40の出力や各種冷却ファンのファン形状及び配置などに合わせた定格速度で駆動させ、プロジェクタ筐体の吸気口から外気を取り入れ、排気口121から内部の空気を排出しつつプロジェクタ100をスタンバイ状態とするものである。
【００５１】
又、投影系レンズ群は、入射側の固定鏡筒161と、この固定鏡筒161に係合され、回転操作により軸方向に進退移動される出射側の可動鏡筒165とを備え、これの固定鏡筒161及び可動鏡筒165内にそれぞれ複数枚のレンズ素子を組み合わせて構成された固定レンズ群163及び可動レンズ群167を設けた可変焦点レンズである。
【００５２】
さらに、プロジェクタ筐体の底面と、投影系レンズ群が配置された側の側面と、後面には、それぞれ、プロジェクタ筐体内を空冷するための複数の長孔状の吸気孔が設けられている。
このプロジェクタ100は、光源装置40から光を出射させ、光源装置40からの光を光源側レンズ147、148及びミラー151によりマイクロミラー表示素子155に向けて投射するものである。
【００５３】
そして、赤、緑、青の光の投射周期に同期させてマイクロミラー表示素子155に赤、緑、青の単色画像データを順次書込むことにより、マイクロミラー表示素子155に赤、緑、青の単色画像を順次表示させ、マイクロミラー表示素子155から順次出射する赤、緑、青の単色画像光を、投影系レンズ群により拡大して投影面に投影するものであり、投影面に、赤、緑、青の３色の単色画像が重なって見えるフルカラー画像を表示するものである。
【００５４】
又、投影系レンズ群による投影方向を投影面に合わせるプロジェクタ筐体の姿勢調整は、画像データを表示素子155に入力することなく赤、緑、青の光を投影系レンズ群により投影させた白色状態又は画像データを表示素子155に入力したフルカラー画像の投影状態で前足131の突出高さを調整することにより行なうことができる。
【００５５】
そして、画像投影の終了後は、画像信号又はビデオ信号の入力を停止し、電源キー101をオフさせて、投影レンズカバー115を閉じればよく、電源キー101をオフさせると、光源装置40の発光素子40が消灯し、カラーホイール141の回転駆動が停止されるとともに、それから一定時間後に吸気ファン127及び排気ファン125の駆動が停止される。
【００５６】
尚、光源装置40の発光素子40は、赤色発光ダイオード、緑色発光ダイオード、青色発光ダイオードに限るものでなく、シアン、マゼンダ、イエローの補色の発光ダイオードを用いることもある。
そして、白色ダイオード、又は複数の色の異なる発光ダイオードを組み合わせて白色光を発光させることもあり、白色光を光源装置40から射出する場合は、従来と同様に光源装置40から射出された光をカラーホイールを介して赤色光、緑色光、青色光とすれば足りるものである。
【００５７】
また、光源装置40は、図１０に示したように、１個だけを用いる場合に限ることなく、複数個の光源装置40を用い、各光源装置40から射出される光の光軸22をプリズムなどにより一致させて光源側レンズ群とする光源側レンズ147、148に入射することもある。
【００５８】
そして、各光源装置40に取り付ける発光ダイオードとして赤色発光ダイオード、緑色発光ダイオード、青色発光ダイオードの３色の発光ダイオードを用いることなく、個々の光源装置40には赤色発光ダイオードのみの光源基板13、緑色発光ダイオードのみの光源基板13、青色発光ダイオードのみの光源基板13を取り付けることがある。
【００５９】
この発光色として単色の発光ダイオードのみを配列した異なる発光色の光源基板13を取り付ける３個の光源装置40は、図１１に示すように、この３個の光源装置40をダイクロイックプリズム70を中心として９０度毎に異なる３方向にダイクロイックプリズム70から等距離に配置するものである。
【００６０】
尚、このダイクロイックプリズム70で重畳するように３個の光源装置40からの光軸を一致させてこの出射光を表示素子155に入射させる場合も、各光源装置40の点灯を順次切り換えて点灯することにより、赤色発、緑色発、青色発を発光させる場合の他、３個の光源装置40を共に連続点灯とし、光源装置40からの出射光を赤、緑、青の３色に順次着色するためのカラーホイールを用いて表示素子155の前面に向けて投射することも可能である。
【００６１】
このように、本実施例のプロジェクタは、上述した光源装置40を用いることにより、光源装置40の小型化、高輝度化が可能となり、よってプロジェクタ本体の小型高輝度化も容易に可能となる。又、発光ダイオードを用いているため、筐体内の温度の低減化も可能となる。
【００６２】
又、本発明は、以上の実施例に限定されるものでなく、発明の要旨を逸脱しない範囲で自由に変更、改良が可能である。更に、本発明の光源装置はプロジェクタに限らず他の電気機器や照明機器などに用いることもできる。
【図面の簡単な説明】
【００６３】
【図１】本発明に係る光源装置の形状を示す斜視図。
【図２】本発明に係る光源装置の形状を示す側面図。
【図３】本発明に係る光源装置の形状を示す上面図。
【図４】本発明に係る光源装置の反射状態を模式的に示す断面図。
【図５】本発明に係る光源装置における発光素子の固定状態を模式的に示す図。
【図６】本発明に係る光源装置の他の実施例の光源装置の斜視図。
【図７】本発明に係る光源装置の更に他の実施例の光源装置の斜視図。
【図８】本発明に係る光源装置の更にその他の実施例の光源装置の斜視図。
【図９】本発明に係るプロジェクタの一例を示す外観斜視図。
【図１０】本発明に係るプロジェクタの一例を示す内部概要図。
【図１１】本発明に係るプロジェクタにおける光源装置の他の使用態様を示す図。
【符号の説明】
【００６４】
11  発光素子                   13  光源基板
20  筐体部
21  射出口                     22  光軸
23  上面壁                     24  底面壁
25  右側面壁                   26  左側面壁
27  後端面                     29  後端部
31  光源取付け部               33  ミラーコート部
35  全反射領域
40  光源装置                   70  ダイクロイックプリズム
100  プロジェクタ
101  電源キー                  103  画質調整キー
105  スタンバイインジケータ    107  加熱インジケータ
109  ランプインジケータ        110  スピーカ開口部
113  リモコン受信部            115  レンズカバー
117  投影口                    120  カバー
121  排気口                    125  排気ファン
127  吸気ファン                131  前足
133  ロッド                    135  ロックキー
137  後足
147、148  光源側レンズ          151  ミラー
153  中継レンズ                155  表示素子
161  固定鏡筒                  163  固定レンズ群
165  可動鏡筒                  167  可動レンズ群
【図１】
2007329053.tif 000003
【図２】
2007329053.tif 000004
【図３】
2007329053.tif 000005
【図４】
2007329053.tif 000006
【図５】
2007329053.tif 000007
【図６】
2007329053.tif 000008
【図７】
2007329053.tif 000009
【図８】
2007329053.tif 000010
【図９】
2007329053.tif 000011
【図１０】
2007329053.tif 000012
【図１１】
2007329053.tif 000013